(57)【要約】【課題】冷却ユニットを安価に製造する。【解決手段】画像形成装置１００は、感光体ドラム４２と、現像部４３と、冷却ユニット６とを備える。感光体ドラム４２には、静電潜像が形成される。現像部４３は、静電潜像にトナーを供給し、トナー像を形成する。冷却ユニット６は、現像部４３を冷却する。冷却ユニット６は、受熱部６１と、放熱部６２と、冷却チューブ６３とを備える。受熱部６１は、現像部４３の熱を受熱する。放熱部６２は、受熱部６１が受熱した熱を放熱する。冷却チューブ６３は、放熱部６２から送り出された冷却液を、受熱部６１を経由して放熱部６２に戻す。放熱部６２には、冷却チューブ６３が配置される。【選択図】図４
2019159244.tif 000002
【特許請求の範囲】
【請求項１】
静電潜像が形成される像担持体と、
前記静電潜像にトナーを供給しトナー像を形成する現像部と、
前記現像部を冷却する冷却ユニットと
を備え、
前記冷却ユニットは、
前記現像部の熱を受熱する受熱部と、
前記受熱部が受熱した熱を放熱する放熱部と、
前記放熱部から送り出された冷却液を、前記受熱部を経由して前記放熱部に戻す冷却チューブと
を備え、
前記放熱部には、前記冷却チューブが配置される、画像形成装置。
【請求項２】
前記放熱部には、前記冷却チューブが曲折して配置される、請求項１に記載の画像形成装置。
【請求項３】
前記放熱部は、前記冷却チューブに向けて送風するファンと、
前記冷却チューブを支持する支持部材と
を更に備え、
前記支持部材は、前記冷却チューブが蛇行するように前記冷却チューブを支持する、請求項１又は請求項２に記載の画像形成装置。
【請求項４】
前記支持部材は、前記冷却チューブが第１方向に沿って延びるように前記冷却チューブを支持し、
前記第１方向は、前記ファンの送風方向に対して交差する方向を示す、請求項３に記載の画像形成装置。
【請求項５】
前記支持部材は、複数の第１冷却部が第２方向に沿って配列されるように前記冷却チューブを支持し、
前記複数の第１冷却部の各々は、前記冷却チューブの一部を示し、
前記第２方向は、前記送風方向及び前記第１方向の各々に対して交差する方向を示す、請求項４に記載の画像形成装置。
【請求項６】
前記支持部材は、前記複数の第１冷却部の前記第１方向の一方側端部を支持する第１支持部材と、前記複数の第１冷却部の前記第１方向の他方側端部を支持する第２支持部材とを備え、
前記第１支持部材と前記第２支持部材は、前記複数の第１冷却部が前記第１方向に沿って延びるように支持し、
前記第１支持部材について前記第２支持部材から離間する側と、前記第２支持部材について前記第１支持部材から離間する側とにおいて、複数の第２冷却部の各々がＵ字状に配置され、
前記複数の第２冷却部の各々は、前記冷却チューブのうちの前記複数の第１冷却部と相違する一部を示し、
前記複数の第２冷却部の端部の各々は、前記複数の第１冷却部の端部の各々と連結され、
前記複数の第１冷却部と前記複数の第２冷却部とは、１本の前記冷却チューブで構成される、請求項５に記載の画像形成装置。
【請求項７】
前記複数の第１冷却部のうちの前記第２方向について互いに隣接する２つの前記第１冷却部が前記送風方向について離間するように、前記第１支持部材と前記第２支持部材とは前記複数の第１冷却部を支持する、請求項６に記載の画像形成装置。
【請求項８】
前記第１支持部材及び前記第２支持部材の各々は、前記送風方向と前記第２方向との各々に略平行に配置される板状部材である、請求項６又は請求項７に記載の画像形成装置。
【請求項９】
前記第１支持部材及び前記第２支持部材の各々は、前記送風方向の上流側に向けて開口する複数の凹部を備え、
前記複数の凹部の各々は、前記第１冷却部と前記第２冷却部とを支持する、請求項６から請求項８のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、現像ユニットと、冷却ユニットとを備える。冷却ユニットは、現像ユニットを冷却する。冷却ユニットは、受熱部、放熱部、循環パイプ、冷却ポンプ、ラジエータ及びリザーブタンクを備える。循環パイプは、冷却液を流動する。冷却ポンプは、冷却液を循環パイプ内で循環させる。リザーブタンクは、冷却液を貯留する。受熱部は、現像ユニットの壁面に圧接し、現像ユニットから熱を受ける。受熱部は、受熱部本体を有し、受熱部本体の内部に第１流路が設けられている。第１流路には、冷却液が流れる。放熱部は、冷却液を冷却する。放熱部は、ラジエータを備える。ラジエータは、良熱伝導部材（金属材料）で形成された第２流路と、第２流路を冷却する冷却ファンを備える。第２流路には、冷却液が流れる。
【先行技術文献】
【特許文献】
【０００３】
【特許文献１】特開２０１０−２４４０１０号公報
【発明の概要】
【発明が解決しようとする課題】
【０００４】
特許文献１に記載の画像形成装置によれば、循環パイプと第２流路とが別部材で形成されるため、冷却ユニットの製造コストが高価になる。
【０００５】
本発明は、上記課題に鑑みてなされたものであり、冷却ユニットを安価に製造することが可能な画像形成装置を提供することを目的としている。
【課題を解決するための手段】
【０００６】
本発明に係る画像形成装置は、像担持体と、現像部と、冷却ユニットとを備える。前記像担持体は、静電潜像が形成される。前記現像部は、前記静電潜像にトナーを供給しトナー像を形成する。前記冷却ユニットは、前記現像部を冷却する。前記冷却ユニットは、受熱部と、放熱部と、冷却チューブとを備える。前記受熱部は、前記現像部の熱を受熱する。前記放熱部は、前記受熱部が受熱した熱を放熱する。前記冷却チューブは、前記放熱部から送り出された冷却液を、前記受熱部を経由して前記放熱部に戻す。前記放熱部には、前記冷却チューブが配置される。
【発明の効果】
【０００７】
本発明の画像形成装置によれば、冷却ユニットを安価に製造できる。
【図面の簡単な説明】
【０００８】
【図１】本発明の実施形態に係る画像形成装置の構成の一例を示す図である。
【図２】本発明の実施形態に係る画像形成部の構成の一例を示す図である。
【図３】本発明の実施形態に係る冷却ユニットの構成の一例を示す図である。
【図４】本発明の実施形態に係るラジエータの構成の一例を示す斜視図である。
【図５】ラジエータの構成の一例を示す正面図である。
【図６】ラジエータの構成の一例を示す側面図である。
【図７】ラジエータの構成の一例を示すＶＩＩ−ＶＩＩ断面図である。
【図８】支持部材の構成の一例を示す斜視図である。
【発明を実施するための形態】
【０００９】
以下、本発明の実施形態について、図面（図１〜図８）を参照しながら説明する。なお、図中、同一又は相当部分については同一の参照符号を付して説明を繰り返さない。
【００１０】
まず、図１を参照して、本発明の実施形態に係る画像形成装置１００の構成について説明する。図１は、画像形成装置１００の構成の一例を示す図である。画像形成装置１００は、カラー複合機である。
【００１１】
図１に示すように、画像形成装置１００は、画像形成ユニット１、画像読取ユニット２、原稿搬送ユニット３及び制御部８を備える。画像形成ユニット１は、用紙Ｐに画像を形成する。画像読取ユニット２は、原稿Ｒに形成された画像を読み取り、画像情報を生成する。原稿搬送ユニット３は、原稿Ｒを画像読取ユニット２に搬送する。制御部８は、画像形成装置１００の動作を制御する。
【００１２】
図１には、互いに直交するＸ軸、Ｙ軸及びＺ軸を記載している。Ｘ軸及びＹ軸は、水平面と平行である。Ｚ軸は、鉛直方向と平行である。以下の説明において、Ｙ軸の正方向側を背面側といい、Ｙ軸の負方向側を前面側という場合がある。
【００１３】
画像形成ユニット１は、給送部１２、搬送部Ｌ、トナー供給部１３、画像形成部４、定着部１６及び排出部１７を備える。画像形成部４は、転写部５を含む。
【００１４】
給送部１２は、用紙Ｐを搬送部Ｌへ供給する。搬送部Ｌは、用紙Ｐを転写部５及び定着部１６を経由して排出部１７まで搬送する。
【００１５】
トナー供給部１３には、トナーコンテナが装着される。トナーコンテナは、画像形成部４にトナーを供給する。画像形成部４は、用紙Ｐに画像を形成する。画像形成部４の構成については、後述にて図２を参照して詳細に説明する。
【００１６】
転写部５は、中間転写ベルト５４を備える。画像形成部４が、中間転写ベルト５４上にシアン色、マゼンタ色、イエロー色、及び黒色のトナー像を転写する。複数色のトナー像が中間転写ベルト５４上で重畳され、中間転写ベルト５４上に画像が形成される。転写部５は、中間転写ベルト５４上に形成された画像を、用紙Ｐ上に転写する。その結果、用紙Ｐに画像が形成される。
【００１７】
定着部１６は、用紙Ｐを加熱及び加圧し、用紙Ｐに形成された画像を用紙Ｐに定着する。排出部１７は、用紙Ｐを画像形成装置１００の外部へ排出する。
【００１８】
制御部８は、プロセッサー８１及び記憶部８２を備える。プロセッサー８１は、例えばＣＰＵ（Ｃｅｎｔｒａｌ  Ｐｒｏｃｅｓｓｉｎｇ  Ｕｎｉｔ）を備える。記憶部８２は、半導体メモリーのようなメモリーを備え、ＨＤＤ（Ｈａｒｄ  Ｄｉｓｋ  Ｄｒｉｖｅ）を備えてもよい。記憶部８２は、制御プログラムを記憶している。プロセッサー８１は、制御プログラムを実行することによって、画像形成装置１００の動作を制御する。
【００１９】
次に、図１及び図２を参照して、本発明の実施形態に係る画像形成部４の構成について説明する。図２は、画像形成部４の構成の一例を示す図である。図２に示すように、画像形成部４は、画像形成部４ｃ、画像形成部４ｍ、画像形成部４ｙ及び画像形成部４ｋを備える。また、画像形成装置１００は、冷却ユニット６を更に備える。
【００２０】
画像形成部４ｃ、画像形成部４ｍ、画像形成部４ｙ及び画像形成部４ｋの各々は、露光部４１、感光体ドラム４２、現像部４３、帯電ローラー４４及びクリーニングブレード４５を備える。現像部４３は、現像ローラー４３１を有する。画像形成部４ｃ、画像形成部４ｍ、画像形成部４ｙ及び画像形成部４ｋの各々の構成は、供給されるトナーの色が異なるのみで、その他の構成は略同一である。したがって、以下の説明では、シアン色のトナーが供給される画像形成部４ｃの構成について説明し、画像形成部４ｃ以外の画像形成部４ｍ、画像形成部４ｙ及び画像形成部４ｋの構成についての説明は省略する。感光体ドラム４２は、「像担持体」の一例に相当する。
【００２１】
画像形成部４ｃは、露光部４１ｃ（４１）、感光体ドラム４２ｃ（４２）、現像部４３ｃ（４３）、帯電ローラー４４ｃ（４４）及びクリーニングブレード４５ｃ（４５）を有する。
【００２２】
帯電ローラー４４ｃは、感光体ドラム４２ｃを所定の電位に帯電させる。露光部４１ｃは、感光体ドラム４２ｃにレーザー光を照射して露光し、感光体ドラム４２ｃに静電潜像を形成する。現像部４３ｃは、現像ローラー４３１ｃ（４３１）を有する。現像ローラー４３１ｃは、感光体ドラム４２ｃにシアン色のトナーを供給し、静電潜像を現像してトナー像を形成する。このようにして、感光体ドラム４２ｃの周面にシアン色のトナー像が形成される。
【００２３】
現像部４３ｃは、収納部４３２ｃ（４３２）を更に備える。収納部４３２ｃは、現像ローラー４３１ｃ及びトナーを収納する。収納部４３２ｃには、トナーコンテナからシアン色のトナーが供給される。
【００２４】
クリーニングブレード４５ｃは、その先端（図２では上端）が、感光体ドラム４２ｃの周面と摺接する。感光体ドラム４２ｃの周面とクリーニングブレード４５ｃの先端とが摺接することで、感光体ドラム４２ｃの周面に残留するシアン色のトナーが除去される。
【００２５】
転写部５は、用紙Ｐにトナー像を転写する。転写部５は、一次転写ローラー５１、二次転写ローラー５２、駆動ローラー５３、中間転写ベルト５４、従動ローラー５５及びブレード５６を備える。一次転写ローラー５１は、感光体ドラム４２からシアン色、マゼンタ色、イエロー色、及び黒色のトナー像を中間転写ベルト５４に転写する。一次転写ローラー５１は、一次転写ローラー５１ｃ、一次転写ローラー５１ｍ、一次転写ローラー５１ｙ及び一次転写ローラー５１ｋを含む。
【００２６】
駆動ローラー５３は、中間転写ベルト５４を駆動する。中間転写ベルト５４は、一次転写ローラー５１、駆動ローラー５３及び従動ローラー５５に張架された無端ベルトである。中間転写ベルト５４は、駆動ローラー５３によって、方向ＤＲ１及び方向ＤＲ２に示すように、反時計回りに回転駆動される。従動ローラー５５は、中間転写ベルト５４の回転に伴って回転駆動される。ブレード５６は、中間転写ベルト５４の表面に残留しているトナーを除去する。
【００２７】
二次転写ローラー５２は、駆動ローラー５３に押圧され、二次転写ローラー５２と駆動ローラー５３との間にニップ部ＮＱが形成される。二次転写ローラー５２は、用紙Ｐがニップ部ＮＱを通過する際に、中間転写ベルト５４上のトナー像を用紙Ｐに転写する。
【００２８】
冷却ユニット６は、受熱部６１ｃと、受熱部６１ｍと、受熱部６１ｙと、受熱部６１ｋと、放熱部６２とを備える。受熱部６１ｃは、現像部４３ｃの熱を受熱する。受熱部６１ｍは、現像部４３ｍの熱を受熱する。受熱部６１ｙは、現像部４３ｙの熱を受熱する。受熱部６１ｋは、現像部４３ｋの熱を受熱する。放熱部６２は、受熱部６１ｃ、受熱部６１ｍ、受熱部６１ｙ及び受熱部６１ｋが受熱した熱を放熱する。以下の説明において、受熱部６１ｃ、受熱部６１ｍ、受熱部６１ｙ及び受熱部６１ｋの各々を、受熱部６１と記載する場合がある。
【００２９】
受熱部６１は、収納部４３２の下面に当接するように配置される。放熱部６２は、画像形成部４ｋに対して方向ＤＲ１の下流側に配置される。換言すれば、放熱部６２は、駆動ローラー５３の下方に配置される。また、受熱部６１には、冷却チューブが嵌め込まれる。冷却チューブについては、後述にて図３を参照して詳細に説明する。
【００３０】
次に、図１〜図３を参照して、本発明の実施形態に係る冷却ユニット６の構成について説明する。図３は、冷却ユニット６の構成の一例を示す図である。冷却ユニット６は、冷却チューブ６３と、リザーブタンク６４と、ポンプ６５とを更に備える。
【００３１】
リザーブタンク６４は、冷却液を貯留する。ポンプ６５は、リザーブタンク６４から流入した冷却液を受熱部６１ｋに向けて吐出する。
【００３２】
放熱部６２は、ファン６２１とラジエータ７とを備える。ラジエータ７には、冷却チューブ６３が配置される。ファン６２１は、冷却チューブ６３に向けて送風する。ラジエータ７の構成については、後述にて図４〜図８を参照して詳細に説明する。
【００３３】
冷却チューブ６３は、ポンプ６５から吐出された冷却液を、受熱部６１を経由して放熱部６２に戻す。例えば、冷却チューブ６３は、方向ＤＷに冷却液を流動させる。方向ＤＷは、冷却液が流動する方向を示す。具体的には、冷却チューブ６３は、ポンプ６５から送り出された冷却液を受熱部６１ｋに流入させる。そして、冷却チューブ６３は、受熱部６１ｋから送り出された冷却液を受熱部６１ｙに流入させる。更に、冷却チューブ６３は、受熱部６１ｙから送り出された冷却液を受熱部６１ｍに流入させる。そして、冷却チューブ６３は、受熱部６１ｍから送り出された冷却液を受熱部６１ｃに流入させる。
【００３４】
更に、冷却チューブ６３は、受熱部６１ｃから送り出された冷却液を放熱部６２に戻す。冷却チューブ６３は、放熱部６２から流出した冷却液をリザーブタンク６４に流入させる。冷却チューブ６３は、リザーブタンク６４から流出した冷却液をポンプ６５に流入させる。
【００３５】
冷却チューブ６３は、弾性を有する。冷却チューブ６３は、例えば樹脂で形成される。また、冷却チューブ６３は、熱伝導性フィラーを含む。冷却チューブ６３は、熱伝導率が１Ｗ／（ｍ・Ｋ）以上である。
【００３６】
例えば、冷却チューブ６３は、ベースゴムと、熱伝導性フィラーと、軟化剤とを配合して生成される。ベースゴムは、アクリルゴム（日本ゼオン社製、商品名Ｎｉｐｏｌ  ＡＲ５４）７０〜９５質量部と、熱可塑性エラストマー（クラレ社製、商品名セプトン（登録商標）４０５５）３０〜５質量部とを配合して形成される。
【００３７】
熱伝導性フィラーとしては、酸化アルミニウムＡ（マイクロン社製、商品名ＡＨ３５−２）、酸化アルミニウムＢ（昭和電工社製、商品名ＡＳ−２０）、及び水酸化アルミニウム（日本軽金属社製、商品名日軽金Ｂ−１０３）のうちの少なくとも１つを配合する。
【００３８】
軟化剤としては、オイルＣ（ＡＤＥＫＡ社製、商品名アデカサイザー（登録商標）ＲＳ７００）、及びオイルＤ（出光興産社製、商品名ダイアナ（登録商標）プロセスＰＷ３８０）の各々を配合する。
【００３９】
例えば、アクリルゴムを８５質量部と熱可塑性エラストマーを１５質量部とでベースゴムを形成する。そして、酸化アルミニウムＢを８００質量部と水酸化アルミニウムを２００質量部とを配合し、オイルＣを１３０質量部とオイルＤを３０質量部とを配合する。その結果、熱伝導率が１．６３Ｗ／（ｍ・Ｋ）の熱伝導性ゴムが得られる。
【００４０】
以上、図１〜図３を参照して説明したように、本発明の実施形態では、放熱部６２には冷却チューブ６３が配置されるため、安価に冷却ユニット６を製造できる。
【００４１】
また、冷却チューブ６３は樹脂で形成される。したがって、冷却チューブ６３がアルミニウム、銅のような金属材料で形成される場合と比較して、冷却ユニット６を安価に製造できる。
【００４２】
また、冷却チューブ６３は、熱伝導性フィラーを含む。よって、冷却チューブ６３の熱伝導率を増大できる。したがって、受熱部６１において現像部４３の熱を効率的に冷却液に伝達できる。その結果、現像部４３を効率的に冷却できる。
【００４３】
また、冷却チューブ６３は、熱伝導率が１Ｗ／（ｍ・Ｋ）以上である。よって、受熱部６１において現像部４３の熱を効率的に冷却液に伝達できる。したがって、現像部４３を効率的に冷却できる。
【００４４】
また、冷却チューブ６３は、熱伝導率が１Ｗ／（ｍ・Ｋ）以上である。よって、放熱部６２において冷却液の熱を効率的に外部に放熱できる。したがって、放熱部６２は冷却液を効率的に冷却できる。
【００４５】
次に、図３〜図５を参照して、本発明の実施形態に係るラジエータ７の構成について説明する。図４は、ラジエータ７の構成の一例を示す斜視図である。図５は、ラジエータ７の構成の一例を示す正面図である。
【００４６】
図４及び図５に示すように、ラジエータ７は、支持部材７０を備える。支持部材７０は、冷却チューブ６３を支持する。具体的には、支持部材７０は、冷却チューブ６３が蛇行するように冷却チューブ６３を支持する。
【００４７】
更に具体的には、支持部材７０は、冷却チューブ６３が第１方向Ｄ１に沿って延びるように冷却チューブ６３を支持する。第１方向Ｄ１は、送風方向ＤＶに対して直交する方向を示す。第１方向Ｄ１は、Ｙ軸と平行な方向を示す。送風方向ＤＶは、ファン６２１が風を送出する方向を示す。
【００４８】
また、支持部材７０は、複数の第１冷却部６３１が第２方向Ｄ２に沿って配列されるように冷却チューブ６３を支持する。複数の第１冷却部６３１の各々は、冷却チューブ６３の一部を示す。第２方向Ｄ２は、送風方向ＤＶ及び第１方向Ｄ１の各々に対して直交する方向を示す。第２方向Ｄ２は、Ｚ軸と平行な方向を示す。
【００４９】
更に具体的には、支持部材７０は、第１支持部材７１と、第２支持部材７２と、連結部材７３とを備える。第１支持部材７１は、複数の第１冷却部６３１の各々の第１方向Ｄ１の一方端を支持する。一方端は、例えばＹ軸の負方向端である。第２支持部材７２は、複数の第１冷却部６３１の各々の第１方向Ｄ１の他方端を支持する。他方端は、例えばＹ軸の正方向端である。本発明の実施形態では、「複数の第１冷却部６３１」は７つの第１冷却部６３１である。
【００５０】
第１支持部材７１と第２支持部材７２とは、複数の第１冷却部６３１の各々が第１方向Ｄ１に沿って延びるように支持する。第１支持部材７１について第２支持部材７２から離間する側（Ｙ軸の負方向側）と、第２支持部材７２について第１支持部材７１から離間する側（Ｙ軸の正方向側）とにおいて、複数の第２冷却部６３２の各々がＵ字状に配置される。本発明の実施形態では、「複数の第２冷却部６３２」は３つの第２冷却部６３２である。
【００５１】
複数の第２冷却部６３２の各々は、冷却チューブ６３のうちの複数の第１冷却部６３１と相違する一部を示す。具体的には、複数の第２冷却部６３２は、冷却チューブ６３のうちの第１支持部材７１からＹ軸の負方向側に突出した部分と、第２支持部材７２からＹ軸の正方向側に突出した部分とを示す。
【００５２】
複数の第２冷却部６３２の端部の各々は、複数の第１冷却部６３１の端部の各々と連結され、複数の第１冷却部６３１と複数の第２冷却部６３２とは、１本の冷却チューブ６３で構成される。
【００５３】
以下、図３〜図５を参照して、冷却水の流動する方向ＤＷに沿って、ラジエータ７における冷却チューブ６３の配置について説明する。図３に示す受熱部６１ｃから送り出された冷却液は、冷却チューブ６３を介して、図４及び図５に示すように、ラジエータ７のＹ軸の負方向端、且つＺ軸の負方向端に流入する。そして、ラジエータ７のＹ軸の負方向端、且つＺ軸の負方向端において、第１支持部材７１は冷却チューブ６３を支持する。
【００５４】
そして、冷却チューブ６３の最下段の第１冷却部６３１が、第１方向Ｄ１に沿って延びる。第１冷却部６３１の一方端（Ｙ軸の負方向端）は第１支持部材７１によって支持され、第１冷却部６３１の他方端（Ｙ軸の正方向端）は第２支持部材７２によって支持される。第２支持部材７２からＹ軸の正方向に突出した冷却チューブ６３は、第２支持部材７２のＹ軸の正方向側でＵ字状に曲げられ、第２冷却部６３２が形成される。第２冷却部６３２の両端の各々は、第２支持部材７２によって支持される。
【００５５】
そして、第２冷却部６３２の上端が、冷却チューブ６３の下から２段目の第１冷却部６３１に接続される。下から２段目の第１冷却部６３１は、第１方向Ｄ１に沿って第１方向Ｄ１と反対の向きに延びる。第１冷却部６３１の一方端（Ｙ軸の正方向端）は第２支持部材７２によって支持され、第１冷却部６３１の他方端（Ｙ軸の負方向端）は第１支持部材７１によって支持される。第１支持部材７１からＹ軸の負方向に突出した冷却チューブ６３は、第１支持部材７１のＹ軸の負方向側でＵ字状に曲げられ、第２冷却部６３２が形成される。第２冷却部６３２の両端の各々は、第１支持部材７１によって支持される。
【００５６】
そして、第２冷却部６３２の上端が、冷却チューブ６３の下から３段目の第１冷却部６３１に接続される。下から３段目の第１冷却部６３１は、第１方向Ｄ１に沿って延びる。第１冷却部６３１の一方端（Ｙ軸の負方向端）は第１支持部材７１によって支持され、第１冷却部６３１の他方端（Ｙ軸の正方向端）は第２支持部材７２によって支持される。第２支持部材７２からＹ軸の正方向に突出した冷却チューブ６３は、第２支持部材７２のＹ軸の正方向側でＵ字状に曲げられ、第２冷却部６３２が形成される。第２冷却部６３２の両端の各々は、第２支持部材７２によって支持される。
【００５７】
そして、第２冷却部６３２の上端が、冷却チューブ６３の下から４段目の第１冷却部６３１に接続される。下から４段目の第１冷却部６３１は、第１方向Ｄ１に沿って第１方向Ｄ１と反対の向きに延びる。第１冷却部６３１の一方端（Ｙ軸の正方向端）は第２支持部材７２によって支持され、第１冷却部６３１の他方端（Ｙ軸の負方向端）は第１支持部材７１によって支持される。第１支持部材７１からＹ軸の負方向に突出した冷却チューブ６３は、第１支持部材７１のＹ軸の負方向側でＵ字状に曲げられ、第２冷却部６３２が形成される。第２冷却部６３２の両端の各々は、第１支持部材７１によって支持される。
【００５８】
そして、第２冷却部６３２の上端が、冷却チューブ６３の下から５段目の第１冷却部６３１に接続される。下から５段目の第１冷却部６３１は、第１方向Ｄ１に沿って延びる。第１冷却部６３１の一方端（Ｙ軸の負方向端）は第１支持部材７１によって支持され、第１冷却部６３１の他方端（Ｙ軸の正方向端）は第２支持部材７２によって支持される。第２支持部材７２からＹ軸の正方向に突出した冷却チューブ６３は、第２支持部材７２のＹ軸の正方向側でＵ字状に曲げられ、第２冷却部６３２が形成される。第２冷却部６３２の両端の各々は、第２支持部材７２によって支持される。
【００５９】
そして、第２冷却部６３２の上端が、冷却チューブ６３の下から６段目の第１冷却部６３１に接続される。下から６段目の第１冷却部６３１は、第１方向Ｄ１に沿って第１方向Ｄ１の反対の向きに延びる。第１冷却部６３１の一方端（Ｙ軸の正方向端）は第２支持部材７２によって支持され、第１冷却部６３１の他方端（Ｙ軸の負方向端）は第１支持部材７１によって支持される。第１支持部材７１からＹ軸の負方向に突出した冷却チューブ６３は、第１支持部材７１のＹ軸の負方向側でＵ字状に曲げられ、第２冷却部６３２が形成される。第２冷却部６３２の両端の各々は、第１支持部材７１によって支持される。
【００６０】
そして、第２冷却部６３２の上端が、冷却チューブ６３の最上段の第１冷却部６３１に接続される。最上段の第１冷却部６３１は、第１方向Ｄ１に沿って延びる。第１冷却部６３１の一方端（Ｙ軸の負方向端）は第１支持部材７１によって支持され、第１冷却部６３１の他方端（Ｙ軸の正方向端）は第２支持部材７２によって支持される。第２支持部材７２からＹ軸の正方向に突出した冷却チューブ６３は、第２支持部材７２のＹ軸の正方向側で図３に示すリザーブタンク６４に接続される。
【００６１】
以上、図３〜図５を参照して説明したように、本発明の実施形態では、支持部材７０は冷却チューブ６３が蛇行するように冷却チューブ６３を支持する。よって、簡素な構成で冷却チューブ６３を蛇行して配置できる。したがって、簡素な構成で、ラジエータ７の放熱効率を向上できる。
【００６２】
また、支持部材７０は、冷却チューブ６３が第１方向Ｄ１に沿って延びるように冷却チューブ６３を支持する。第１方向Ｄ１は送風方向ＤＶに対して直交する方向を示す。したがって、簡素な構成で、ラジエータ７の放熱効率を更に向上できる。
【００６３】
また、支持部材７０は、複数の第１冷却部６３１が第２方向Ｄ２に沿って配列されるように冷却チューブ６３を支持する。複数の第１冷却部６３１の各々は冷却チューブ６３の一部を示す。第２方向Ｄ２は、送風方向ＤＶ及び第１方向Ｄ１の各々に対して直交する方向を示す。したがって、簡素な構成で、ラジエータ７の放熱効率を更に向上できる。
【００６４】
また、第１支持部材７１と第２支持部材７２は、複数の第１冷却部６３１が第１方向Ｄ１に沿って延びるように支持する。第１支持部材７１について第２支持部材７２から離間する側と、第２支持部材７２について第１支持部材７１から離間する側とにおいて、複数の第２冷却部６３２の各々がＵ字状に配置される。複数の第２冷却部６３２の各々は、冷却チューブ６３のうちの複数の第１冷却部６３１と相違する一部を示す。複数の第２冷却部６３２の端部の各々は、複数の第１冷却部６３１の端部の各々と連結され、複数の第１冷却部６３１と複数の第２冷却部６３２とは、１本の冷却チューブ６３で構成される。よって、複数の第１冷却部６３１の各々が第１方向Ｄ１に沿って延び、且つ複数の第１冷却部６３１が第２方向Ｄ２に沿って配列されるように、１本の冷却チューブ６３を蛇行させて配置できる。したがって、更に簡素な構成で、ラジエータ７の放熱効率を向上できる。
【００６５】
なお、本発明の実施形態では、第１方向Ｄ１は送風方向ＤＶに対して直交する方向を示すが、本発明はこれに限定されない。第１方向Ｄ１は送風方向ＤＶに対して交差する方向であればよい。
【００６６】
また、本発明の実施形態では、第２方向Ｄ２は、送風方向ＤＶ及び第１方向Ｄ１の各々に対して直交する方向を示すが、本発明はこれに限定されない。第２方向Ｄ２は、送風方向ＤＶ及び第１方向Ｄ１の各々に対して交差する方向であればよい。
【００６７】
また、本発明の実施形態では、放熱部６２には冷却チューブ６３が蛇行するように配置されるが、本発明はこれに限定されない。放熱部６２には冷却チューブ６３が曲折して配置されればよい。
【００６８】
次に、図３〜図７を参照して、ラジエータ７の構成について更に説明する。図６は、ラジエータ７の構成の一例を示す側面図である。図７は、図５に示すラジエータ７の一例を示すＶＩＩ−ＶＩＩ断面図である。図６及び図７に示すように、複数の第１冷却部６３１のうちの第２方向Ｄ２について互いに隣接する２つの第１冷却部６３１が送風方向ＤＶについて離間するように、第１支持部材７１と第２支持部材７２とは複数の第１冷却部６３１を支持する。
【００６９】
換言すれば、複数の第２冷却部６３２のうちの１つの第２冷却部６３２の一方端（例えば、Ｚ軸の正方向端）と、１つの第２冷却部６３２の他方端（例えば、Ｚ軸の負方向端）とが送風方向ＤＶについて離間するように、第１支持部材７１と第２支持部材７２とは複数の第２冷却部６３２を支持する。
【００７０】
具体的には、図７に示すように、互いに隣接する２つの第１冷却部６３１は、送風方向ＤＶについて距離ＬＡだけ離間している。距離ＬＡは、互いに隣接する２つの第１冷却部６３１のうちの一方の第１冷却部６３１のＸ軸の正方向端の位置と、他方の第１冷却部６３１のＸ軸の正方向端の位置との間の距離を示す。距離ＬＡは、例えば、冷却チューブ６３の外径の２倍である。距離ＬＡは、冷却チューブ６３の外径の２倍〜３倍が好ましい。
【００７１】
以上、図３〜図７を参照して説明したように、本発明の実施形態では、複数の第１冷却部６３１のうちの第２方向Ｄ２について互いに隣接する２つの第１冷却部６３１が送風方向ＤＶについて離間するように、第１支持部材７１と第２支持部材７２とは第１冷却部６３１を支持する。よって、第１支持部材７１について第２支持部材７２から離間する側と、第２支持部材７２について第１支持部材７１から離間する側とにおいて、Ｕ字状に配置される第２冷却部６３２の座屈を抑制できる。また、第２方向Ｄ２に互いに隣接する２つの第１冷却部６３１の間を、ファン６２１からの風が通り抜け易くなる。したがって、簡素な構成で、ラジエータ７の放熱効率を更に向上できる。
【００７２】
次に、図３〜図８を参照して、支持部材７０の構成について更に説明する。図８は、支持部材７０の構成の一例を示す斜視図である。図８に示すように、支持部材７０は、第１支持部材７１と、第２支持部材７２と、連結部材７３と、開口７４とを備える。連結部材７３は、第１支持部材７１と第２支持部材７２とを連結する。
【００７３】
連結部材７３は、第１連結部材７３１と第２連結部材７３２とを含む。第１連結部材７３１は、第１支持部材７１の一方端（例えば、上端）と第２支持部材７２の一方端（例えば、上端）とを連結する。第２連結部材７３２は、第１支持部材７１の他方端（例えば、下端）と第２支持部材７２の他方端（例えば、下端）とを連結する。
【００７４】
開口７４は、第１支持部材７１と、第１連結部材７３１と、第２支持部材７２と、第２連結部材７３２とで囲われた矩形の開口を示す。開口７４は、ファン６２１からの風の流動を妨げないために形成される。
【００７５】
第１支持部材７１は、板状部材である。第１支持部材７１は、送風方向ＤＶと第２方向Ｄ２との各々に平行に配置される。第１支持部材７１は、複数の凹部７１０を備える。複数の凹部７１０の各々は、送風方向ＤＶの上流側に向けて開口する。複数の凹部７１０は、凹部７１１と、凹部７１２と、凹部７１３と、凹部７１４と、凹部７１５と、凹部７１６と、凹部７１７とを含む。複数の凹部７１０の各々は、第１冷却部６３１と第２冷却部６３２とを支持する。
【００７６】
凹部７１１の送風方向ＤＶの下流側端と、凹部７１３の送風方向ＤＶの下流側端と、凹部７１５の送風方向ＤＶの下流側端と、凹部７１７の送風方向ＤＶの下流側端とは、Ｘ座標が同一の位置に配置される。凹部７１２の送風方向ＤＶの下流側端と、凹部７１４の送風方向ＤＶの下流側端と、凹部７１６の送風方向ＤＶの下流側端とは、Ｘ座標が同一の位置に配置される。
【００７７】
凹部７１１の送風方向ＤＶの下流側端と、凹部７１２の送風方向ＤＶの下流側端とは、送風方向ＤＶに距離ＬＡだけ離間している。凹部７１３の送風方向ＤＶの下流側端と、凹部７１４の送風方向ＤＶの下流側端とは、送風方向ＤＶに距離ＬＡだけ離間している。凹部７１５の送風方向ＤＶの下流側端と、凹部７１６の送風方向ＤＶの下流側端とは、送風方向ＤＶに距離ＬＡだけ離間している。凹部７１７の送風方向ＤＶの下流側端と、凹部７１６の送風方向ＤＶの下流側端とは、送風方向ＤＶに距離ＬＡだけ離間している。
【００７８】
第２支持部材７２は、板状部材である。第２支持部材７２は、送風方向ＤＶと第２方向Ｄ２との各々に平行に配置される。第２支持部材７２は、複数の凹部７２０を備える。複数の凹部７２０の各々は、送風方向ＤＶの上流側に向けて開口する。複数の凹部７２０は、凹部７２１と、凹部７２２と、凹部７２３と、凹部７２４と、凹部７２５と、凹部７２６と、凹部７２７とを含む。複数の凹部７２０の各々は、第１冷却部６３１と第２冷却部６３２とを支持する。
【００７９】
凹部７２１の送風方向ＤＶの下流側端と、凹部７２３の送風方向ＤＶの下流側端と、凹部７２５の送風方向ＤＶの下流側端と、凹部７２７の送風方向ＤＶの下流側端とは、Ｘ座標が同一の位置に配置される。凹部７２２の送風方向ＤＶの下流側端と、凹部７２４の送風方向ＤＶの下流側端と、凹部７２６の送風方向ＤＶの下流側端とは、Ｘ座標が同一の位置に配置される。
【００８０】
凹部７２１の送風方向ＤＶの下流側端と、凹部７２２の送風方向ＤＶの下流側端とは、送風方向ＤＶに距離ＬＡだけ離間している。凹部７２３の送風方向ＤＶの下流側端と、凹部７２４の送風方向ＤＶの下流側端とは、送風方向ＤＶに距離ＬＡだけ離間している。凹部７２５の送風方向ＤＶの下流側端と、凹部７２６の送風方向ＤＶの下流側端とは、送風方向ＤＶに距離ＬＡだけ離間している。凹部７２７の送風方向ＤＶの下流側端と、凹部７２６の送風方向ＤＶの下流側端とは、送風方向ＤＶに距離ＬＡだけ離間している。
【００８１】
以上、図３〜図８を参照して説明したように、第１支持部材７１及び第２支持部材７２の各々は、送風方向ＤＶと第２方向Ｄ２との各々に平行に配置される板状部材である。よって、簡素な構成で、第１支持部材７１及び第２支持部材７２を実現できる。また、図４に示すファン６２１からの風の流れが第１支持部材７１及び第２支持部材７２の各々によって阻害されることを抑制できる。
【００８２】
また、第１支持部材７１は、送風方向ＤＶの上流側に向けて開口する複数の凹部７１０を備える。第２支持部材７２は、送風方向ＤＶの上流側に向けて開口する複数の凹部７２０を備える。複数の凹部７１０の各々は、第１冷却部６３１と第２冷却部６３２とを支持する。複数の凹部７２０の各々は、第１冷却部６３１と第２冷却部６３２とを支持する。よって、簡素な構成で、第１支持部材７１及び第２支持部材７２を実現できる。
【００８３】
なお、本発明の実施形態では、第１支持部材７１と第２支持部材７２とが冷却チューブ６３を支持するが、本発明はこれに限定されない。複数の支持部材が冷却チューブ６３を支持すればよい。例えば、３つの支持部材が冷却チューブ６３を支持してもよい。この場合には、第１支持部材７１と第２支持部材７２との中間位置に更に支持部材を配置すればよい。この場合には、第１冷却部６３１の撓みを抑制できる。また、例えば、４つ以上の支持部材が冷却チューブ６３を支持してもよい。支持部材の個数が多い程、第１冷却部６３１の撓みを抑制できる。
【００８４】
また、本発明の実施形態では、支持部材７０が開口７４を有するが、本発明はこれに限定されない。支持部材７０がファン６２１からの風の流通を妨げないように形成されていればよい。例えば、支持部材７０がスリットを有してもよい。
【００８５】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８６】
（１）図１及び図２を参照して説明したように、本発明の実施形態では、画像形成装置１００がカラー複合機であるが、本発明はこれに限定されない。画像形成装置が用紙Ｐに画像を形成すればよい。画像形成装置が、例えば、カラープリンターでもよい。また、画像形成装置が、例えば、モノクロ複写機でもよい。
【００８７】
（２）図１〜図３を参照して説明したように、本発明の実施形態では、放熱部６２から送り出された冷却液を、リザーブタンク６４、ポンプ６５及び受熱部６１を経由して放熱部６２に戻す冷却チューブ６３が１本であるが、本発明はこれに限定されない。放熱部６２から送り出された冷却液を、リザーブタンク６４、ポンプ６５及び受熱部６１を経由して放熱部６２に戻す冷却チューブ６３が配置されればよい。放熱部６２から送り出された冷却液を、リザーブタンク６４、ポンプ６５及び受熱部６１を経由して放熱部６２に戻す冷却チューブ６３が複数本だけ配置されてもよい。
【産業上の利用可能性】
【００８８】
本発明は、画像形成装置の分野に利用可能である。
【符号の説明】
【００８９】
１００    画像形成装置
１    画像形成ユニット
４    画像形成部
４２、４２ｃ、４２ｍ、４２ｙ、４２ｋ    感光体ドラム
４３、４３ｃ、４３ｍ、４３ｙ、４３ｋ    現像部
４３２、４３２ｃ、４３２ｍ、４３２ｙ、４３２ｋ    収納部
６    冷却ユニット
６１、６１ｃ、６１ｍ、６１ｙ、６１ｋ    受熱部
６２    放熱部
６２１    ファン
７    ラジエータ
７０    支持部材
７１    第１支持部材
７１０    複数の凹部
７１１〜７１７    凹部
７２    第２支持部材
７２０    複数の凹部
７２１〜７２７    凹部
７３    連結部材
７４    開口
６３    冷却チューブ
６３１    第１冷却部
６３２    第２冷却部
６４    リザーブタンク
６５    ポンプ
ＤＶ    送風方向
Ｄ１    第１方向
Ｄ２    第２方向
【図１】
2019159244.tif 000003
【図２】
2019159244.tif 000004
【図３】
2019159244.tif 000005
【図４】
2019159244.tif 000006
【図５】
2019159244.tif 000007
【図６】
2019159244.tif 000008
【図７】
2019159244.tif 000009
【図８】
2019159244.tif 000010